(57)【要約】【課題】より強固かつ確実に安定させることができる移動可能な自立型の手摺を、見た目を損なうことなく提供すること。【解決手段】移動可能な自立型手摺１は、上段バー２ａ及び下段バー２ｂを含む手摺部と、上段バー２ａ及び下段バー２ｂを挟む右側面部４ａ及び左側面部４ｂと、土台部３と、土台部３の上に載せる重しを、取り出し可能に収容するための収容部とを備える。収容部は、重しを、外部からは視認できないように収容する。【選択図】図１
2008280831.tif 000002
【特許請求の範囲】
【請求項１】
移動可能な自立型手摺であって、
１本以上のバーを含む手摺部と、
前記バーを挟む側面部と、
底面となる土台部と、
前記土台部の上に載せる重しを、取り出し可能に収容するための収容部とを備えることを特徴とする、自立型手摺。
【請求項２】
前記手摺部は、前記側面部に段違いに取り付けられた少なくとも２本のバーを含むことを特徴とする、請求項１に記載の自立型手摺。
【請求項３】
前記側面部は、上端に、階段状部を有し、
前記少なくとも２本のバーの内、一方は、前記階段状部の上段側に取り付けられており、他方は、前記階段状部の下段側に取り付けられていることを特徴とする、請求項２に記載の自立型手摺。
【請求項４】
前記収納部は、前面又は背面に扉部を有し、
前記扉部は、回動可能に前記側面部に取り付けられていることを特徴とする、請求項１に記載の自立型手摺。
【請求項５】
前記収納部は、前面又は背面に扉部を有し、
前記扉部は、上下にスライドすることを特徴とする、請求項１に記載の自立型手摺。
【請求項６】
前記側面部は、前記扉部が上側にスライドしたときに、前記扉部を下側に落とさないように仮止めするための仮止め手段を含むことを特徴とする、請求項５に記載の自立型手摺。
【請求項７】
前記仮止め手段は、前記側面部に堀込まれた前記扉部を収容するための凹部であることを特徴とする、請求項６に記載の自立型手摺。
【請求項８】
前記凹部は、前記扉部が上側にスライドされた場合、前記扉部を仮置きするための余剰スペースを有することを特徴とする、請求項７に記載の自立型手摺。
【請求項９】
前記扉部の上端は、テーパー状になっており、
前記凹部の上部は、前記扉部が上側にスライドされた場合、前記扉部の前記テーパー状の部分を挟むことができるように堀込まれていることを特徴とする、請求項７に記載の自立型手摺。
【請求項１０】
前記扉部は、前記側面部から抜き取ることができることを特徴とする、請求項５に記載の自立型手摺。
【請求項１１】
前記土台部は、鉛を含むことを特徴とする、請求項１に記載の自立型手摺。
【請求項１２】
さらに、前記土台部の底面に敷かれる耐震マットを備え、
前記耐震マットは、複数の抜き取り穴を含むことを特徴とする、請求項１に記載の自立型手摺。
【請求項１３】
前記収納部は、上面に、取り外し可能な蓋部を有することを特徴とする、請求項１に記載の自立型手摺。
【請求項１４】
前記収容部に収容される前記重しは、水を収容するための袋状の一以上の水袋であることを特徴とする、請求項１〜１３のいずれかに記載の自立型手摺。
【発明の詳細な説明】
【技術分野】
【０００１】
本発明は、移動可能で、かつ自立することができる手摺に関する。
【背景技術】
【０００２】
高齢化社会が進んだ近年、各種福祉器具の開発が進んでいる。特に、筋力が衰えた高齢者にとって、手摺を利用して起立や歩行などを補助することは、非常に、有用である。従来、手摺は、壁などに固定するのが一般であった。しかし、壁などに固定するタイプの手摺は、取り付け場所を選ぶ必要があり、如何なる場所でも起立や歩行を補助するという目的には、適していなかった。そのような中、特許文献１に示すように、自立型の手摺が開発されている。このような自立型の手摺は、自由に移動させることができ、如何なる場所でも配置できる。たとえば、寝床の近くや、ベッドの近く、食卓の近くなど、通常であれば、壁がないような箇所にでも、自立型の手摺を配置することができる。これによって、高齢者やけが人などの手摺の補助を必要とする者は、手摺による補助を受けながら、起立や歩行を行うことができるようになる。
【０００３】
特許文献１に記載されているような自立型手摺においては、台座部が不安定になりがちであるという問題があった。特に、筋力が衰えた者は、手摺に全体重を加える傾向にあり、不安定な台座によって、転倒する危険性があった。そのため、特許文献１では、磁石や吸盤、マジックテープ（登録商標）、粘着剤等の簡易固定材を床材上で使用することが提案されている（特許文献１の段落０００８参照）。
【特許文献１】登録実用新案第３０９５９１１号公報
【発明の開示】
【発明が解決しようとする課題】
【０００４】
特許文献１に記載の自立型手摺であっても、実用に耐えうる程度の安定性は保たれる。しかし、高齢者は、どのような体勢で、力を加えるか予想しがたい面がある。したがって、より強固かつ確実に安定する自立型手摺の開発が必要となってきた。強固かつ確実に安定させるためであるとはいっても、移動可能であるという機能を省くことはできない。また、自立型手摺は、一般家庭や各種施設で使用するものであるので、見た目でも優れている必要がある。
【０００５】
それゆえ、本発明の目的は、より強固かつ確実に安定させることができる移動可能な自立型の手摺を、見た目を損なうことなく提供することである。
【課題を解決するための手段】
【０００６】
上記課題を解決するために、本発明は、以下のような特徴を有する。本発明は、移動可能な自立型手摺であって、１本以上のバーを含む手摺部と、バーを挟む側面部と、底面となる土台部と、土台部の上に載せる重しを、取り出し可能に収容するための収容部とを備える。
【０００７】
好ましくは、手摺部は、側面部に段違いに取り付けられた少なくとも２本のバーを含むとよい。
【０００８】
好ましくは、側面部は、上端に、階段状部を有し、少なくとも２本のバーの内、一方は、階段状部の上段側に取り付けられており、他方は、階段状部の下段側に取り付けられているとよい。
【０００９】
好ましくは、収納部は、前面又は背面に扉部を有し、扉部は、回動可能に側面部に取り付けられているとよい。
【００１０】
好ましくは、収納部は、前面又は背面に扉部を有し、扉部は、上下にスライドするとよい。
【００１１】
好ましくは、側面部は、扉部が上側にスライドしたときに、扉部を下側に落とさないように仮止めするための仮止め手段を含むとよい。
【００１２】
一実施形態において、仮止め手段は、側面部に堀込まれた扉部を収容するための凹部である。
【００１３】
たとえば、凹部は、扉部が上側にスライドされた場合、扉部を仮置きするための余剰スペースを有するとよい。
【００１４】
たとえば、扉部の上端は、テーパー状になっており、凹部の上部は、扉部が上側にスライドされた場合、扉部のテーパー状の部分を挟むことができるように堀込まれているとよい。
【００１５】
好ましくは、扉部は、側面部から抜き取ることができるとよい。
【００１６】
好ましくは、土台部は、鉛を含むとよい。
【００１７】
好ましくは、さらに、土台部の底面に敷かれる耐震マットを備え、耐震マットは、複数の抜き取り穴を含むとよい。
【００１８】
好ましくは、収納部は、上面に、取り外し可能な蓋部を有するとよい。
【００１９】
好ましくは、収容部に収容される重しは、水を収容するための袋状の一以上の水袋であるとよい。
【発明の効果】
【００２０】
本発明によれば、収容部に重しが収容され、土台部の上に当該重しが載せられることとなる。したがって、より強固かつ確実に自立型手摺を安定させることができる。また、重しは、取り出し可能あるので、本発明の自立型手摺は移動可能となる。収容部は、重しを外部から視認できない状態で収容しているので、見た目を損なうことなく配置されるインテリア性に優れた自立型手摺が提供されることとなる。
【００２１】
手摺部が段違いの２本のバーからなることによって、低い手摺又は高い手摺を、適宜選択しながら、使用することが可能となる。低い手摺が手前になるように、自立型手摺を配置してもよいし、高い手摺が手前になるように、自立型手摺を配置してもよい。
【００２２】
側面部の上端を階段状にすることによって、当該階段状部自体を手摺として使用することが可能となる。
【００２３】
前面の扉部が側面部に回動可能に取り付けられていることによって、簡単に、扉を開け閉めすることができ、収容部の中の重しを自由に取り替えることができる。
【００２４】
扉部が上下にスライドすることによって、重しを土台部の近くにまで持っていくことができる。したがって、重しの出し入れが容易になる。
【００２５】
また、扉部を上部で仮止めするための仮止め手段を設けることによって、重しの出し入れが容易になる。
【００２６】
また、扉部が側面部から抜き取ることができることによって、重しの出し入れが容易になる。
【００２７】
土台部に鉛を含ませたり、土台部の下に耐震マットを敷いたりすることによって、自立型手摺をさらに安定させることができる。
【００２８】
また、蓋部を設けることによっても、重しの出し入れが実現できる。特に、水袋は、容易に持ち運びすることができるので、重しの出し入れが容易となる。さらに、水袋は、水の重みによって、鉛直下方向に変形する。よって、重心が下がることとなり、自立型手摺の安定性が向上する。水袋の容量を小さするか、若しくは、入れる水の量を少なくして、複数の水袋を収容部に入れるようにすれば、力の弱い者であっても、容易に、重しの重量を増すことができる。水袋は変形可能であるので、収容部の隅々まで重しを配置することも可能である。水袋を用いる場合、水袋の変形を考慮すると、収納部は、上面に蓋部を有する構造であることが好ましい。なお、災害時には、水袋に保管されている水を利用することができる。
【００２９】
本発明のこれらおよび他の目的、特徴、局面、効果は、添付図面と照合して、以下の詳細な説明から一層明らかになるであろう。
【発明を実施するための最良の形態】
【００３０】
（第１の実施形態）
図１は、本発明の第１の実施形態に係る自立型手摺１の斜視図である。図１において、自立型手摺１は、上段バー２ａと、下段バー２ｂと、土台部３と、右側面部４ａと、左側面部４ｂと、蓋部５と、扉部６と、背面部７とを備える。扉部６は、下部において、右側面部４ａ及び左側面部４ｂに回動可能に取り付けられている。なお、扉部６は、上部において、右側面部４ａ及び左側面部４ｂに回動可能に取り付けられていてもよい。図１に示すように、上段バー２ａ及び下段バー２ｂは、段違いになるように、右側面部４ａ及び左側面部４ｂに取り付けられている。
【００３１】
図２は、扉部６を開いたときの自立型手摺１の斜視図である。図２に示すように、土台部３、右側面部４ａ、左側面部４ｂ、扉部６、背面部７、及び蓋部５によって形成される空間に、土台部３の上に載せられる重しとして、水タンク１０ａ及び１０ｂが収納される。すなわち、当該空間が収容部として機能する。なお、扉部６は、前面に設けられていてもよいし、背面に設けられていてもよいし、前面及び背面の両方に設けられていてもよい。扉部６を開けば、水タンク１０ａ及び１０ｂは、収容部から取り出しできる。扉部６には、右側面部４ａに取り付けられたマグネット６ｄ及び左側面部４ｂに取り付けられたマグネット６ｂに対応するように、金属板６ｅ及び６ｃが取り付けられている。これによって、扉部６は、通常、右側面部４ａ及び左側面部４ｂに固定されることとなる。扉部６に設けられた凹部６ａを持ちながら、扉部６が開閉される。このように、収容部は、重しである水タンク１０ａ及び１０ｂを外部から視認できないように、収容する。
【００３２】
図３は、扉部６が右側面部４ａ及び左側面部４ｂに回動可能に取り付けられる構造の一例を示す図である。図３に示すように、扉部６の下部に形成された堀込み部６ｆが、右側面部４ａに取り付けられたダボ４ｃに、差し込まれる。同様の構成が、左側面部４ｂにも形成されている。これによって、扉部６は、右側面部４ａ及び左側面部４ｂに回動可能に取り付けられることとなる。なお、扉部６を回動可能に取り付けるための構造は、図３に限定されるものではない。回動可能にするための各種金具などを扉部６及び側面部に取り付けることによって、扉部６を回動可能にしてもよい。その他、あらゆる回動可能のための構造を採用することができる。
【００３３】
図４は、自立型手摺１の正面図である。図５は、自立型手摺１の右側面図である。右側面部４ａ及び左側面部４ｂは、土台部３の上に、垂直に、取り付けられている。土台部３は、右側面部４ａ及び左側面部４ｂの土台となっており、底面となっている。右側面部４ａ及び左側面部４ｂは、上段バー２ａ及び下段バー２ｂを挟むようにして固定している。上段バー２ａ及び下段バー２ｂは、手摺部として機能する。蓋部５は、右側面部４ａ及び左側面部４ｂに挟まれ、かつ土台部３に対して平行になるように、右側面部４ａ及び左側面部４ｂに取り付けられている。背面部７は、扉部６とは対抗する側に存在する。背面部７は、右側面部４ａ及び左側面部４ｂに取り付けられている。図５に示すように、右側面部４ａの上端は、階段状部２ｃを有する。左側面部４ｂも、上端に、同様の階段状部を有する。階段状部２ｃの上段側に上段バー２ａが取り付けられ、階段状部２ｃの下段側に下段バー２ｂが取り付けられている。階段状部２ｃは、適宜、面取り加工されている。
【００３４】
このように、第１の実施形態によれば、水タンク１０ａ及び１０ｂが収容部に収容されている。たとえば、水タンク１０ａ及び１０ｂとして、１３リットルの水タンクを用いれば、最大約２６キログラムの重量が土台部に加わることとなる。これほどの重量の重しが土台部に加わることによって、より強固かつ確実に、自立型手摺１を安定させることができる。したがって、高齢者やけが人などが、相当の力を加えたとしても、自立型手摺１は倒れることなく維持されるものと期待できる。通常、自立型手摺１を所望の場所に配置する場合、水タンク１０ａ及び１０ｂを収容部に入れることなく、まず、自立型手摺１を所望の場所に配置する。所望の場所に自立型手摺１を配置した後、水が入った水タンク１０ａ及び１０ｂを用意して、扉部６を開ける。そして、水タンク１０ａ及び１０ｂが収容部に収容される。このように、水タンク１０ａ及び１０ｂを取り出して自立型手摺１を配置すればよいので、移動可能な自立型手摺１が提供されることとなる。
【００３５】
また、第１の実施形態によれば、上段バー２ａ及び下段バー２ｂが段違いに取り付けられているので、使用者の身長や腰の曲がり具合などの身体的特徴に応じて、適宜、どちらかのバーを選択しながら、使用することが可能となる。また、最初に下段バー２ｂを使いながら腰の位置を高くして、その後、上段バー２ａを持ちながら歩行するといった使い方が可能となる。また、自立型手摺１を廊下などに配置する場合、下段バー２ｂを手前に配置した方が都合が良い場合は、下段バー２ｂが手前になるように自立型手摺１を配置すればよい。逆に、比較的身長が高い者を対象とするような場所では、上段バー２ａが手前となるように、自立型手摺１を配置すればよい。このように、段違いのバー構造にすることによって、使い方を自由に選択することが可能となる。
【００３６】
また、第１の実施形態によれば、右側面部４ａ及び左側面部４ｂの上端は、階段状部２ｃを有する。この階段状部２ｃ自体もまた、手摺として機能する。階段状部２ｃを手摺として使って、自立型手摺１の前面から背面への移動を補助することができる。
【００３７】
なお、たとえば、自立型手摺１を廊下などに置く場合、蓋部５の上に、植木鉢などの置物を置くことも可能である。
【００３８】
なお、蓋部５は、土台部３と平行に取りつけられている場合に限られない。
【００３９】
なお、水タンク１０ａ及び１０ｂは、どちらか１つでもよい。また、水タンク１０ａ及び１０ｂには、水を満タンにいれなくてもよい。また、重しとして、水タンク１０ａ及び１０ｂ以外の重しを使っても良いことは言うまでもない。また、上記では、水タンク１０ａ及び１０ｂは、１３リットルの水タンクであるとしたが、これに限られるものではない。たとえば、１０リットルの水タンクを３つ収納部に収納するようにしてもよい。また、水タンク以外の重量物を重しとして用いてもよい。
【００４０】
（第２の実施形態）
図６は、本発明の第２の実施形態に係る自立型手摺１の斜視図である。図６において、第１の実施形態と同様の機能を有する部分については、同一の参照符号を付すこととする。第２の実施形態に係る自立型手摺１と第１の実施形態に係る自立型手摺１との違いを中心に説明する。第２の実施形態に係る自立型手摺１において、扉部６は、上下にスライド可能である。凹部６ａは、扉部６をスライドさせる際に持たれる。左側面部４ｂは、凹部４ｄを含む。凹部４ｄと同様の構成が、右側面部４ａにも形成されている。
【００４１】
図７は、図６におけるＡ−Ａ面での自立型手摺１の断面図である。扉部６は、凹部４ｄに挿入されている。凹部４ｄは、扉部６が上方にスライドされた場合に、扉部６を仮置きするための余剰スペースを有する。図７において、余剰スペースは、二点破線で表されている（以下同様）。すなわち、扉部６が上側にスライドされた場合、扉部６は、背面部７側にずらされ、凹部４ｄに設けられた余剰スペースに仮置きされる。余剰スペースの下部には、扉部６が倒れてこないようにするための突起部４ｅがある。右側面部４ａは、図７に示す構造と同様の構造を有する。これにより、扉部６が上側にスライドされた場合、扉部６は、下側に落ちないようになる。すなわち、これらの凹部は、扉部６が上側にスライドしたときに、扉部６を下側に落とさないようにするための仮止め手段となる。
【００４２】
このように、第２の実施形態によれば、扉部６が上方で仮止めされることとなる。収容部に収容すべき重しは、例えば、水タンクなどの重量物である。これらの重しを出し入れするためには、出来る限り、収容部と床とが近い方がよい。第１の実施形態では、蓋部６を乗り越えて、重しを収容部に入れる必要があった。しかし、第２の実施形態では、できる限り、収容部の近くまで、重しを持っていって、土台部３の上面に重しを載せることができる。したがって、腕力の弱いものであっても、重しの出し入れが容易となる。
【００４３】
なお、突起部４ｅが無くても、扉部６を余剰スペースに仮置きすることは可能である。
【００４４】
（第３の実施形態）
図８は、本発明の第３の実施形態に係る自立型手摺の断面構造を示す図である。図８の断面図は、図７の断面図に対応する図である。図８において、第１の実施形態と同様の機能を有する部分については、同一の参照符号を付すこととする。第３の実施形態に係る自立型手摺と第２の実施形態に係る自立型手摺との違いを中心に説明する。
【００４５】
第２の実施形態では、凹部４ｄの余剰スペースが、側面部の内側に設けられている。一方、第３の実施形態では、凹部４ｆの余剰スペースが、側面部の外側に設けられている。扉部６が上側にスライドされた場合、扉部６は、前面側にずらされ、凹部４ｆに設けられた余剰スペースに仮置きされる。余剰スペースの下部には、扉部６が倒れないようにするための突起部４ｇがある。右側面４ａも、図８に示す構造と同様の構造を有する。これにより、扉部６が上側にスライドされた場合、扉部６は、下側に落ちないようになる。すなわち、これらの凹部は、扉部６が上側にスライドしたときに、扉部６を下側に落とさないようにするための仮止め手段となる。
【００４６】
このように、第３の実施形態によっても、扉部６を上方に仮止めすることができるので、第２の実施形態と同様の効果を得ることができる。
【００４７】
（第４の実施形態）
図９は、本発明の第４の実施形態に係る自立型手摺の断面構造を示す図である。図９は、図７の断面図に対応する図である。図９において、第１の実施形態と同様の機能を有する部分については、同一の参照符号を付すこととする。第４の実施形態に係る自立型手摺と第２の実施形態に係る自立型手摺との違いを中心に説明する。
【００４８】
第４の実施形態では、凹部４ｈの余剰スペースが、側面部の内側及び外側に設けられている。具体的には、凹部４ｈの上部には、側面部の内側に向けて傾斜４ｉが堀込まれている。凹部４ｈの下部には、側面部の外側に向けて傾斜４ｋが堀込まれている。右側面４ａも、図９に示す構造と同様の構造を有する。扉部６が上側にスライドされた場合、扉部６の上部を傾斜４ｉ側に倒すことによって、扉６の上部及び下部が凹部４ｈに設けられた余剰スペースに入ることとなる。したがって、扉６が、凹部４ｈに仮置きされることとなる。右側面部４ａ側についても同様のことが言える。これにより、扉部６が上側にスライドされた場合、扉部６は、下側に落ちないようになる。すなわち、これらの凹部は、扉部６が上側にスライドしたときに、扉部６を下側に落とさないようにするための仮止め手段となる。
【００４９】
このように、第４の実施形態によっても、扉部６を上方に仮止めすることができるので、第２の実施形態と同様の効果を得ることができる。
【００５０】
なお、凹部４ｈに設けられた傾斜は、図９に示す関係とは逆であっても良い。すなわち、凹部４ｈの上部に設けられた傾斜が側面部の外側に設けられ、凹部４ｈの下部に設けられた傾斜が側面部の内側に設けられてもよい。これによっても、扉部６の仮止めは実現できる。
【００５１】
（第５の実施形態）
図１０は、本発明の第５の実施形態に係る自立型手摺の断面構造を示す図である。図１０は、図７の断面図に対応する図である。図１０において、第１の実施形態と同様の機能を有する部分については、同一の参照符号を付すこととする。第５の実施形態に係る自立型手摺と第２の実施形態に係る自立型手摺との違いを中心に説明する。
【００５２】
図１０に示すように、扉部６の上端は、テーパー状部６ｇを有する。また、凹部４ｌの上部は、テーパー状部６ｇを挟むことができるような大きさに堀込まれている。扉部６が上方にスライドされると、テーパー状部６ｇが凹部４ｌの上部で挟まることとなる。これによって、扉部６が上方で仮止めされることとなる。すなわち、凹部４ｌが仮止め手段として機能する。
【００５３】
このように、第５の実施形態によっても、扉部６を上方に仮止めすることができるので、第２の実施形態と同様の効果を得ることができる。
【００５４】
なお、第２〜第５の実施形態では、仮止め手段として、様々な凹部を利用することができる旨を説明した。このような凹部以外に、扉部６を上方で仮止めする手段は、様々存在する。たとえば、側面部及び扉部６に仮止めのための金具が取り付けられていてもよい。その他、あらゆる仮止め手段を本発明に適用することができる。
【００５５】
（第６の実施形態）
図１１は、本発明の第６の実施形態に係る自立型手摺の断面構造を示す図である。図１１は、図７の断面図に対応する図である。図１１において、第１の実施形態と同様の機能を有する部分については、同一の参照符号を付すこととする。
【００５６】
左側面部４ｂは、扉部６の上方にスライド溝４ｍを有する。右側面部４ａも、同様の構成を有する。扉部６は、スライド溝４ｍに沿って、上方にスライド可能である。スライド溝４ｍの上端は解放されている。したがって、扉部６は、スライド溝４ｍに沿って、側面部から抜き取ることができる。
【００５７】
このように、第６の実施形態によれば、扉部６を側面部から抜き取ることができる。したがって、第２の実施形態と同様、できる限り、収容部の近くまで、重しを持っていって、土台部３の上面に重しを載せることができる。したがって、重しの出し入れが容易となる。
【００５８】
なお、スライド溝４ｍの途中に、扉部６を仮止めするために、金具などの仮止め手段を設けておいてもよい。
【００５９】
（第７の実施形態）
図１２は、本発明の第７の実施形態に係る自立型手摺１の斜視図である。図１２において、第１の実施形態と同様の機能を有する部分については、同一の参照符号を付すこととする。第２の実施形態に係る自立型手摺１と第１の実施形態に係る自立型手摺１との違いを中心に説明する。
【００６０】
左側面部４ｂは、蓋部５に沿うように堀込まれたスライド溝４ｎを有する。右側面部４ａにも、同様のスライド溝が形成されている。蓋部５は、これらのスライド溝にそって、前後にスライド可能である。蓋部５は、自立型手摺１から抜き取ることができる。これにより、収容部の上方からも重しを入れることが可能となる。
【００６１】
なお、蓋部５は、スライドの際に持ち手となる凸部５ａを有する。
【００６２】
（第８の実施形態）
図１３は、本発明の第８の実施形態に係る自立型手摺１の斜視図である。図１３において、第１の実施形態と同様の機能を有する部分については、同一の参照符号を付すこととする。本発明は、より強固かつ確実に安定させることができる移動可能な自立型の手摺を、見た目を損なうことなく提供することを目的としている。したがって、手摺部の構成は、特に限定されるものではない。図１３に示すように、１本のバー２ｄが手摺となって自立型手摺１が提供されてもよい。
【００６３】
（第９の実施形態）
図１４は、本発明の第９の実施形態に係る自立型手摺１の斜視図である。図１において、第１の実施形態と同様の機能を有する部分については、同一の参照符号を付すこととする。本発明は、より強固かつ確実に安定させることができる移動可能な自立型の手摺を、見た目を損なうことなく提供することを目的としている。したがって、手摺部の構成は、特に限定されるものではない。図１４に示すように、右側面部４ａ及び左側面部４ｂに平行に取り付けられた２本のバー２ｅ，２ｆが手摺となって自立型手摺１が提供されてもよい。
【００６４】
（第１０の実施形態）
図１５は、本発明の第１０の実施形態に係る自立型手摺１の斜視図である。図１において、第１の実施形態と同様の機能を有する部分については、同一の参照符号を付すこととする。第１０の実施形態では、前面部７ａ及び背面部７は、右側面４ａ、左側面４ｂ、及び土台部３に固定されている。第１０の実施形態では、蓋部５が取り外し可能である。
【００６５】
図１６は、第１０の実施形態で使用する重しとなる水袋１１の正面図である。図１６では、水が収容される前の水袋１１が示されている。図１７は、水袋１１の側面図である。水袋１１は、キャップ部１１ａと、持ち手部１１ｂと、キャップ台座１１ｃとを備える袋状の部材である。水袋１１の周縁部分は、収容された水が漏れないように、シーリングされている。持ち手部１１ｂは、水袋１１を持ち運びするための穴部である。キャップ台座１１ｃは、水袋１１の本体に接着されている。キャップ部１１ａは、キャップ台座１１ｃに着脱可能である。キャップ部１１ａを開けて、水を入れ、キャップ部１１ａを締めて、水を漏れないようにする。
【００６６】
図１８は、水が入った水袋１１が収容部に収容されたときの図１５におけるＡ−Ａ断面図である。図１８に示すように、水袋１１は、その重量によって、鉛直下方向に変形する。よって、重心が下がることとなるので、自立型手摺１の安定性が向上する。ここでは、１つの水袋１１のみを図示しているが、水袋の数は、複数であってもよい。たとえば、水袋１１の容量を小さくして、複数の水袋１１を収容部に入れるようにすれば、力の弱い者であっても、容易に、重しの重量を増すことができる。また、水袋１１に入れる水の量を少なくして、複数の水袋１１を収容部に入れるようにしても、重しの重量を増すことができる。これらにより、安定性がさらに向上する。また、水袋１１は、変形可能であるので、収容部の隅々まで重しを配置することができ、さらに、安定性を向上させることができる。なお、図１５及び図１８に示したように、水袋１１の変形を考慮すると、収容部は、前面部７ａや背面部７が固定されている上面に蓋部５を有する構造の方が好ましい。ただし、水袋１１は、あらゆる収納部の構造に利用可能であり、特に限定されるものでない。なお、災害時には、水袋１１に保管されている水を利用することができる。
【００６７】
第１〜第１０の実施形態に示すように、本発明の自立型手摺は、重しを収容する収容部を有するので、より強固かつ確実に、安定することとなる。また、重しは外部から視認できないので、あらゆる場所にインテリア性を損なうことなく配置することができる。
【００６８】
なお、本発明の自立型手摺をさらに強固に安定させるために、耐震マットを利用することができる。図１９は、土台部３の底面に敷かれる耐震マット８の平面図である。耐震マット８は、複数の抜き取り穴８ａを含む。なお、図１９では、参照符号の記載を省略している抜き取り穴も存在する。通常、家庭やオフィスなどで使用する耐震マットは、円形や四角形状で、面積が数センチ〜数十センチ平方メートルのものである。図１９に示す耐震マット８は、このように市販で用いられた耐震マットが抜き取られた後の物をリサイクルしたものである。耐震マット８は、リサイクル品であり、非常に安価である。本発明では、耐震マット８を底面に敷くこととする。市販の耐震マットと比べ、耐震マット８と底面との接触面積は非常に多くなるので、これによって、自立型手摺１は、極めて強力に、固定されることとなる。
【００６９】
なお、土台部３には、鉛の板が上面又は底面に取り付けられていても良い。これによって、より安定性を向上させることができる。
【００７０】
第８及び第９の実施形態に示すように、バーは、１本以上であればよい。当然、３本以上のバーが存在しても良い。また、バーは、まっすぐであるとは限らない。適宜、バーは湾曲していてもよい。
【００７１】
図２０は、３本のバーを用いた場合の自立型手摺１の斜視図である。図２０において、３本のバー２ｇ，２ｈ，２ｉは、右側面４ａ及び左側面４ｂに取り付けられている。３本のバー２ｇ，２ｈ，２ｉは、徐々に、高くなるように、段違いで、取り付けられている。また、３本のバー２ｇ，２ｈ，２ｉは、手前側から奥側に向けて遠退くように、傾斜して取り付けられている。収容部１２は、上面の取り外し可能な蓋部５を有する。蓋部５を開けると、中に、たとえば、水袋を重しとしていれることができる。収容部１２は、バー２ｇとバー２ｈとの下に設けられているが、これに限られるものではない。バー２ｉの下まで、収容部１２が伸びていてもよい。
【００７２】
図２０に示すように、３本以上のバーを段違いに用いることによって、寝ている状態から起き上がったり、正座している状態から立ち上がったりするときに、順次、下のバーからつかみながら、徐々に、起立することができるようになる。４本以上のバーを使用する場合であっても、起立しやすいように、手前から奥側に向けて遠退き、徐々に高くなるように、４本以上のバーが側面部に取り付けられているとよい。このように、本発明の自立型手摺において、バーの数は、限定されるものではない。
【００７３】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００７４】
本発明によれば、より強固かつ確実に安定させることができる移動可能な自立型の手摺を、見た目を損なうことなく提供することができ、介護医療福祉等の分野で有用である。
【図面の簡単な説明】
【００７５】
【図１】本発明の第１の実施形態に係る自立型手摺１の斜視図
【図２】扉部６を開いたときの自立型手摺１の斜視図
【図３】扉部６が右側面部４ａ及び左側面部４ｂに回動可能に取り付けられる構造の一例を示す図
【図４】自立型手摺１の正面図
【図５】自立型手摺１の右側面図
【図６】本発明の第２の実施形態に係る自立型手摺１の斜視図
【図７】図６におけるＡ−Ａ面での自立型手摺１の断面図
【図８】本発明の第３の実施形態に係る自立型手摺の断面構造を示す図
【図９】本発明の第４の実施形態に係る自立型手摺の断面構造を示す図
【図１０】本発明の第５の実施形態に係る自立型手摺の断面構造を示す図
【図１１】本発明の第６の実施形態に係る自立型手摺の断面構造を示す図
【図１２】本発明の第７の実施形態に係る自立型手摺１の斜視図
【図１３】本発明の第８の実施形態に係る自立型手摺１の斜視図
【図１４】本発明の第９の実施形態に係る自立型手摺１の斜視図
【図１５】本発明の第１０の実施形態に係る自立型手摺１の斜視図
【図１６】第１０の実施形態で使用する重しとなる水袋１１の正面図
【図１７】水袋１１の側面図
【図１８】水が入った水袋１１が収容部に収容されたときの図１５におけるＡ−Ａ断面図
【図１９】土台部３の底面に敷かれる耐震マット８の平面図
【図２０】３本のバーを用いた場合の自立型手摺１の斜視図
【符号の説明】
【００７６】
１  自立型手摺
２ａ  上段バー
２ｂ  下段バー
２ｃ  階段状部
２ｄ，２ｅ，２ｆ  バー
３  土台部
４ａ  右側面部
４ｂ  左側面部
４ｃ  ダボ
４ｄ，４ｆ，４ｈ，４ｌ  凹部
４ｅ，４ｇ  突起部
４ｉ，４ｋ  傾斜部
４ｍ，４ｎ  スライド溝
５  蓋部
５ａ  凸部
６  扉部
６ａ  凹部
６ｂ，６ｄ  マグネット
６ｃ，６ｅ  金属板
６ｆ  堀込み部
６ｇ  テーパー状部
７  背面部
７ａ  前面部
８  耐震マット
８ａ  抜き取り穴
１０ａ，１０ｂ  水タンク
１１  水袋
１１ａ  キャップ部
１１ｂ  持ち手部
１１ｃ  キャップ台座
１２  収容部
【図１】
2008280831.tif 000003
【図２】
2008280831.tif 000004
【図３】
2008280831.tif 000005
【図４】
2008280831.tif 000006
【図５】
2008280831.tif 000007
【図６】
2008280831.tif 000008
【図７】
2008280831.tif 000009
【図８】
2008280831.tif 000010
【図９】
2008280831.tif 000011
【図１０】
2008280831.tif 000012
【図１１】
2008280831.tif 000013
【図１２】
2008280831.tif 000014
【図１３】
2008280831.tif 000015
【図１４】
2008280831.tif 000016
【図１５】
2008280831.tif 000017
【図１６】
2008280831.tif 000018
【図１７】
2008280831.tif 000019
【図１８】
2008280831.tif 000020
【図１９】
2008280831.tif 000021
【図２０】
2008280831.tif 000022